(57)【特許請求の範囲】
【請求項１】
生体に装着され、生体からの電気信号に基づいて生体情報を測定する生体情報測定装置であって、
加速度センサと、
生体に接触する生体接触部を有し、当該生体接触部と生体との接触に応じた信号を発生する接触センサと、
前記加速度センサ又は前記接触センサからの信号を基に、前記生体接触部が生体に接触しているか否かを判定する装着判定部と、
前記加速度センサからの信号を基に、前記生体情報測定装置の装着者の運動解析処理を行う運動解析部と、
前記運動解析部の前記運動解析処理の結果を送信する通信機能を備えた通信部と
を有し、
前記加速度センサは、加速度を検出すると、第１の割り込み信号を出力し、
前記接触センサ及び前記装着判定部は、前記加速度センサが出力した前記第１の割り込み信号に応じて、自らをスリープモードからウェイクアップモードに移行するウェイクアップ処理を行い、
前記装着判定部は、前記ウェイクアップ処理後に、前記加速度センサ又は前記接触センサからの信号を基に、前記生体接触部が生体に接触しているか否かを判定し、肯定判定の場合に、前記運動解析部及び前記通信部をスリープモードからウェイクアップモードに移行するウェイクアップ処理を行う、
生体情報測定装置。
【請求項２】
前記加速度センサは、加速度が一定時間生じていない状態から加速度が発生した場合、前記第１の割り込み信号を出力する、
請求項１に記載の生体情報測定装置。
【請求項３】
前記装着判定部は、前記生体接触部が生体に接触していないと判定した場合に、自らをウェイクアップモードからスリープモードに移行するスリープ処理を行う
請求項１又は２に記載の生体情報測定装置。
【請求項４】
前記装着判定部は、前記生体接触部が生体に接触していないと判定した場合に第４の割り込み信号を出力し、
前記運動解析部及び前記通信部は、前記第４の割り込み信号に応じて、自らをウェイクアップモードからスリープモードに移行するスリープ処理を行う
請求項３に記載の生体情報測定装置。
【請求項５】
前記加速度センサは、一定時間、加速度を検出しないと、第２の割り込み信号を出力し、
前記接触センサ、前記装着判定部、前記運動解析部及び前記通信部は、前記第２の割り込み信号に応じて、自らをウェイクアップモードからスリープモードに移行するスリープ処理を行う
請求項１に記載の生体情報測定装置。
【請求項６】
前記加速度センサの消費電力は、前記接触センサ及び前記装着判定部のウェイクアップモードでの消費電力より小さい
請求項１に記載の生体情報測定装置。
【発明の詳細な説明】
【技術分野】
【０００１】
本発明は、装着判定装置及びそれを用いた電子機器に関するものである。
【背景技術】
【０００２】
特許文献１には、電池駆動の電子機器で、非使用時の電力消費を抑制する技術が開示されている。
当該電子機器では、スリープモードにおいて、ユーザの手が近接したか否かを検出し、近接したと判断した場合にアクティブになる。
また、特許文献１には、スリープモードにおいて、加速度を検出すると、ウェイクアップ処理を行うことも開示されている。
【先行技術文献】
【特許文献】
【０００３】
【特許文献１】特開２００４−２４０９７１
【発明の概要】
【発明が解決しようとする課題】
【０００４】
しかしながら、上述した特許文献１に開示されているように、ユーザの近接あるいは装着判定だけでスリープからのウェイクアップ処理を行う場合、スリープ期間中に、消費電力が比較的大きい近接あるいは装着判定を継続する必要があり、消費電力が大きい。また、生体以外の導電体が近接あるいは接触した場合に、不必要なウェイクアップ処理が行われる場合がある。【０００５】
一方、電子機器に加速度が生じたことのみを条件としてウェイクアップ処理が開始される場合、当該電子機器が生体に装着されていない状態において当該電子機器に振動が加わると、ウェイクアップ処理が行われてしまう。【０００６】
本発明はかかる事情に鑑みてなされたものであり、その目的は、電子機器が装着されたか否かを正確に判定できる装着判定装置及びそれを用いて省電力化を図れる電子機器を提供することを目的とする。
【課題を解決するための手段】
【０００７】
上述した従来技術の問題点を解決し、上述した目的を達成するために、本発明の生体情報測定装置は、生体に装着され、生体からの電気信号に基づいて生体情報を測定する生体情報測定装置であって、加速度センサと、生体に接触する生体接触部を有し、当該生体接触部と生体との接触に応じた信号を発生する接触センサと、前記加速度センサ及び前記接触センサからの信号を基に、前記生体接触部が生体に接触しているか否かを判定する装着判定部と、前記加速度センサからの信号を基に、前記生体情報測定装置の装着者の運動解析処理を行う運動解析部と、前記運動解析部の前記運動解析処理の結果を送信する通信機能を備えた通信部とを有し、前記加速度センサは、加速度を検出すると、第１の割り込み信号を出力し、前記接触センサ及び前記装着判定部は、前記加速度センサが出力した前記第１の割り込み信号に応じて、自らをスリープモードからウェイクアップモードに移行するウェイクアップ処理を行い、前記装着判定部は、前記ウェイクアップ処理後に、前記加速度センサ又は前記接触センサからの信号を基に、前記生体接触部が生体に接触しているか否かを判定し、肯定判定の場合に、前記運動解析部及び前記通信部をスリープモードからウェイクアップモードに移行するウェイクアップ処理を行う。
【０００８】
この構成によれば、加速度センサが加速度を検出したときに、接触センサ及び装着判定部のウェイクアップ処理を行うので、加速度センサが加速度を検出しない間は接触センサ及び装着判定部をスリープモードにすることができ、省電力化を図ることができる。
また、この構成によれば、加速度センサによる加速度の検出の他に、装着判定部による装着判定が可能であるため、生体に装着されていると判定したことを条件に、その他の回路ブロックのウェイクアップ処理を行うことができ、非装着状態で、当該回路ブロックのウェイクアップ処理が行われることを回避できる。これによっても、省電力化を図ることができる。
また、この構成によれば、装着判定の他に、加速度センサによる加速度検出を条件に前記回路ブロックのウェイクアップ処理を行うことが可能になり、生体以外の導電体が生体接触部に触れたことで、不要にウェイクアップ処理が行われることを回避できる。これによっても、省電力化を図ることができる。【０００９】
好適には、前記加速度センサは、加速度が一定時間生じていない状態から加速度が発生した場合、前記第１の割り込み信号を出力する。
【００１０】
好適には、前記装着判定部は、前記生体接触部が生体に接触していないと判定した場合に、自らをウェイクアップモードからスリープモードに移行するスリープ処理を行う。
【００１１】
この構成によれば、非装着状態において装着判定部をスリープモードにでき、省電力化を図れる。
【００１２】
好適には、前記装着判定部は、前記生体接触部が生体に接触していないと判定した場合に第４の割り込み信号を出力し、前記運動解析部及び前記通信部は、前記第４の割り込み信号に応じて、自らをウェイクアップモードからスリープモードに移行するスリープ処理を行う。
【００１３】
好適には、前記加速度センサは、一定時間、加速度を検出しないと、第２の割り込み信号を出力し、前記接触センサ、前記装着判定部、前記運動解析部及び前記通信部は、前記第２の割り込み信号に応じて、自らをウェイクアップモードからスリープモードに移行するスリープ処理を行う。
【００１４】
この構成によれば、加速度が一定時間、検出されない場合に、前記接触センサ、前記装着判定部、前記運動解析部及び前記通信部がスリープモードになる。これにより、省電力化を図れる。
【００１５】
好適には、前記加速度センサの消費電力は、前記接触センサ及び前記装着判定部のウェイクアップモードでの消費電力より小さい。【００１６】
この構成によれば、比較的、消費電力が大きい接触センサ及び装着判定部をスリープモードにできる。【００１７】
好適には、前記装着判定部のウェイクアップモードでの消費電力は、前記所定の回路ブロックのウェイクアップモードでの消費電力より小さい。【００１８】
この構成によれば、比較的、消費電力が大きい回路ブロックをスリープモードにできる。【００１９】
本発明の電子機器は、生体に装着される電子機器であって、装着判定装置を有し、前記装着判定装置は、加速度センサと、生体に接触する生体接触部を有し、当該生体接触部と生体との接触に応じた信号を発生する接触センサと、前記加速度センサ及び前記接触センサからの信号を基に、前記生体接触部が生体に接触しているか否かを判定する装着判定部とを有し、前記加速度センサは、加速度を検出すると、第１の割り込み信号を出力し、前記接触センサ及び前記装着判定部は、前記加速度センサが出力した前記第１の割り込み信号に応じて、自らをスリープモードからウェイクアップモードに移行するウェイクアップ処理を行う。【００２０】
この構成によれば、加速度センサが加速度を検出したときに、接触センサ及び装着判定部のウェイクアップ処理を行うので、加速度センサが加速度を検出しない間は接触センサ及び装着判定部をスリープモードにすることができ、省電力化を図ることができる。
また、この構成によれば、加速度センサによる加速度の検出の他に、装着判定部による装着判定が可能であるため、生体に装着されていると判定したことを条件に、当該電子機器搭載するその他の回路ブロックのウェイクアップ処理を行うことができ、非装着状態で、当該回路ブロックのウェイクアップ処理が行われることを回避できる。これによっても、省電力化を図ることができる。
また、この構成によれば、装着判定の他に、加速度センサによる加速度検出を条件に前記回路ブロックのウェイクアップ処理を行うことが可能になり、生体以外の導電体が生体接触部に触れたことで、不要にウェイクアップ処理が行われることを回避できる。これによっても、省電力化を図ることができる。
【発明の効果】
【００２１】
本発明によれば、電子機器が装着されたか否かを正確に判定できる装着判定装置及びそれを用いて省電力化を図れる電子機器を提供できる。
【図面の簡単な説明】
【００２２】
【図１】本発明の実施形態の生体情報測定装置の構成図である。
【図２】図１に示す生体情報測定装置の制御系の機能ブロック図である。
【図３】図１に示す生体情報測定装置のウェイクアップ処理を説明するためのフローチャートである。
【図４】図３に示すステップＳＴ５の本ウェイクアップ処理を説明するためのフローチャートである。
【図５】図１に示す生体情報測定装置のスリープ処理を説明するためのフローチャートである。
【発明を実施するための形態】
【００２３】
（全体構成）
以下、本発明の実施形態に係る生体情報測定装置について説明する。図１は、本発明の実施形態の生体情報測定装置１００の構成図である。生体情報測定装置１００は、制御装置１１０と、Ｃパッド１１１ＣとＬパッド１１１ＬとＲパッド１１１Ｒと、Ｃ配線１１２ＣとＬ配線１１２ＬとＲ配線１１２Ｒとを含む。
【００２４】
Ｃパッド１１１Ｃは、平板状のＣ絶縁体１１３Ｃと、Ｃ絶縁体１１３Ｃの片面に貼り合わせた平板状の第１電極２１１Ｃ（コモン電極とも呼ばれ、以下、Ｃ電極２１１Ｃと呼ぶ場合がある）とを含む。Ｌパッド１１１Ｌは、平板状のＬ絶縁体１１３Ｌと、Ｌ絶縁体１１３Ｌの片面に貼り合わせた左第２電極２１１Ｌ（以下、Ｌ電極２１１Ｌと呼ぶ場合がある）とを含む。Ｒパッド１１１Ｒは、平板状のＲ絶縁体１１３Ｒと、Ｒ絶縁体１１３Ｒの片面に貼り合わせた右第２電極２１１Ｒ（以下、Ｒ電極２１１Ｒと呼ぶ場合がある）とを含む。以下、Ｃ電極２１１ＣとＬ電極２１１ＬとＲ電極２１１Ｒとを区別せずに、電極２１１と呼ぶ場合がある。電極２１１は、いずれも、金属などの導電性部材で形成されており、生体に接触可能なように外部に露出されている。
【００２５】
制御装置１１０は、後述の電気系統を構成する部品を収容している。Ｃ配線１１２Ｃは、制御装置１１０とＣ電極２１１Ｃとを接続している。Ｌ配線１１２Ｌは、制御装置１１０とＬ電極２１１Ｌとを接続している。Ｒ配線１１２Ｒは、制御装置１１０とＲ電極２１１Ｒとを電気的に接続している。
【００２６】
生体情報測定装置１００は、生体からの電気信号に基づいて生体情報を測定する生体情報測定と、生体に対する１つ以上の電極２１１の装着状態を検出する装着状態検出とを実行する。生体は、例えば、人体である。生体情報は、例えば、心電である。生体情報測定装置１００は、図示しない内蔵電池の電力により動作する。
【００２７】
Ｃ電極２１１ＣとＬ電極２１１ＬとＲ電極２１１Ｒとが、人体の心臓近くの皮膚上に配置される。Ｃ電極２１１Ｃは、Ｌ電極２１１ＬとＲ電極２１１Ｒとの間で、心臓に一番近く配置される。生体に正しく装着したとき、Ｌ電極２１１ＬとＲ電極２１１Ｒとが、Ｃ電極２１１Ｃを中心として対称に配置される。Ｃ電極２１１ＣとＬ電極２１１Ｌとの間の電圧波形が検出される。さらに、Ｃ電極２１１ＣとＲ電極２１１Ｒとの間の電圧波形が検出される。検出された２つの電圧波形の差分が、人体の心電情報を表す。
【００２８】
（制御系統の構成）
図２は、図１に示す生体情報測定装置１００の制御系の機能ブロック図である。
図１に示すように、生体情報測定装置１００は、例えば、加速度センサ１１、生体接触センサ１３、装着判定部２１、運動解析部２３、通信部２５、周辺回路２７、制御部２９及び電源供給部３１を有する。
【００２９】
加速度センサ１１、生体接触センサ１３及び装着判定部２１は、本発明の実施形態に係る装着判定装置１を構成している。
【００３０】
加速度センサ１１は、例えば、図１に示す制御装置１００に搭載されている。加速度センサ１１は、加速度信号を生成する。また、加速度センサ１１は、加速度を一定時間生じていない状態から加速度を検出すると、第１の割り込み信号Ｓ１を制御部２９に出力する。
制御部２９は、当該第１の割り込み信号Ｓ１に応じた第１の割り込み信号Ｓ１１を生体接触センサ１３及び装着判定部２１に出力する。
【００３１】
加速度センサ１１は、加速度を検出した状態から一定期間、加速度を検出しないと、第２の割り込み信号Ｓ２を制御部２９に出力する。
制御部２９は、第２の割り込み信号Ｓ２に応じた第２の割り込み信号Ｓ２１を生体接触センサ１３及び装着判定部２１に出力する。
【００３２】
生体接触センサ１３は、生体に接触する生体接触部である図１に示すＣパッド１１１Ｃ、Ｌパッド１１１Ｌ及びＲパッド１１１Ｒを有する。また、生体接触センサ１３は、生体接触センサ１３は、信号印加部（図示せず）及び信号増幅部（図示せず）を有する。
【００３３】
生体接触センサ１３は、生体接触部の電気特性を検出するウェイクアップモードと、当該ウェイクアップモードに比べて消費電力が小さいスリープモードとを選択可能である。
生体接触センサ１３は、スリープモードにおいて、制御部２９から第１の割り込み信号Ｓ１１を入力すると、自らのウェイクアップ処理を行い、ウェイクアップモードに移行する。
生体接触センサ１３は、ウェイクアップモードにおいて、制御部２９から第２の割り込み信号Ｓ２１を入力すると、自らのスリープ処理を行い、スリープモードに移行する。
【００３４】
装着判定部２１は、ウェイクアップモードにおいて、生体接触センサ１３からの信号を基に、生体情報測定装置１００が生体に装着されているか否かを判定を行う。
装着判定部２１は、生体情報測定装置１００が生体に装着されていると判定し、運動解析部２３、通信部２５及び周辺回路２７がスリープモードの場合に、制御部２９に第３の割り込み信号Ｓ３を送信する。制御部２９は、第３の割り込み信号Ｓ３に応じた第３の割り込み信号Ｓ３１を、運動解析部２３、通信部２５及び周辺回路２７に出力し、これらが自らのウェイクアップ処理を行う。
【００３５】
装着判定部２１は、生体接触センサ１３からの信号の他に、加速度センサ１１からの信号を用いて、装着判定を行ってもよい。ここで、装着判定は、加速度センサ１１からの加速度の信号に比べて、生体接触センサ１３からの信号の方が高精度に判定できる。
【００３６】
また、装着判定部２１は、生体情報測定装置１００が生体に装着されていないと判定した場合に、制御部２９に第４の割り込み信号Ｓ４を出力する。制御部２９は、第４の割り込み信号Ｓ４に応じた第４の割り込み信号Ｓ４１を、運動解析部２３、通信部２５及び周辺回路２７に出力する。これにより、運動解析部２３、通信部２５及び周辺回路２７は、自らのスリープ処理を行う。
【００３７】
また、ウェイクアップモードにおける生体接触センサ１３及び装着判定部２１の消費電力は、加速度センサ１１の消費電力に比べて大きい。
【００３８】
運動解析部２３は、加速度センサ１１及び生体接触センサ１３からの信号を基に、生体情報測定装置１００の装着者の運動解析処理を行う。
運動解析部２３は、制御部２９から第３の割り込み信号Ｓ３１を入力すると、自らのウェイクアップ処理を行う。また、運動解析部２３は、制御部２９から第４の割り込み信号Ｓ４１を入力すると、自らのスリープ処理を行う。
【００３９】
通信部２５は、装着判定部２１の装着判定結果及び運動解析部２３の運動解析結果等を、所定の通信装置に送信する通信機能を有する。
通信部２５は、制御部２９から第３の割り込み信号Ｓ３１を入力すると、自らのウェイクアップ処理を行う。また、通信部２５は、制御部２９から第４の割り込み信号Ｓ４１を入力すると、自らのスリープ処理を行う。
【００４０】
周辺回路２７は、電源供給部の供給電圧の監視やＬＥＤインジケータを発光可能状態にする等の処理を行う機能を有する。
周辺回路２７は、制御部２９から第３の割り込み信号Ｓ３１を入力すると、自らのウェイクアップ処理を行う。また、周辺回路２７は、制御部２９から第４の割り込み信号Ｓ４１を入力すると、自らのスリープ処理を行う。
【００４１】
また、ウェイクアップモードにおける運動解析部２３、通信部２５及び周辺回路２７の消費電力は、ウェイクアップモードにおける生体接触センサ１３及び装着判定部２１の消費電力に比べて大きいが、同じあるいは小さくでもよい。
【００４２】
以下、生体情報測定装置１００のウェイクアップ処理及びスリープ処理関係の動作例を説明する。
［ウェイクアップ処理］
図３は、図１に示す生体情報測定装置１００のウェイクアップ処理を説明するためのフローチャートである。
ステップＳＴ１：
加速度センサ１１は、生体情報測定装置１００に加速度が一定時間生じていない状態から加速度が発生したか否かを判断し、肯定判定の場合にステップＳＴ１２に進み、否定判定の場合に当該判断を繰り返す。
【００４３】
ステップＳＴ２：
加速度センサ１１は、第１の割り込み信号Ｓ１を制御部２９に出力する。また、制御部２９は、第１の割り込み信号Ｓ１に応じた第１の割り込み信号Ｓ１１を生体接触センサ１３及び装着判定部２１に出力する。
【００４４】
ステップＳＴ３：
生体接触センサ１３は、スリープモードにおいて、制御部２９から第１の割り込み信号Ｓ１１を入力すると、自らのウェイクアップ処理を行い、ウェイクアップモードに移行する。
装着判定部２１は、スリープモードにおいて、制御部２９から第１の割り込み信号Ｓ１１を入力すると、自らのウェイクアップ処理を行い、ウェイクアップモードに移行する。
これにより、装着判定部２１は、生体接触センサ１３からの信号を基に、生体情報測定装置１００が生体に装着されているかを判定する装着判定処理を行う。
【００４５】
ステップＳＴ４：
装着判定部２１は、装着判定処理の結果、装着状態であると肯定判定をした場合はステップＳＴ５に進み、否定判定をした場合はステップＳＴ６に進む。
【００４６】
ステップＳＴ５：
装着判定部２１は、第３の割り込み信号Ｓ３を制御部２９に出力する。
制御部２９は、第３の割り込み信号Ｓ３に応じた第３の割り込み信号Ｓ３１を運動解析部２３、通信部２５及び周辺回路２７に出力する。
運動解析部２３、通信部２５及び周辺回路２７は、第３の割り込み信号Ｓ３１に応じてウェイクアップ処理を行い、ウェイクアップモードに移行する。
【００４７】
ステップＳＴ６：
装着判定部２１は、自らのスリープ処理を行い、スリープモードに移行する。
【００４８】
図４は、図３に示すステップＳＴ５の本ウェイクアップ処理を説明するためのフローチャートである。
図４に示すように、運動解析部２３は、制御部２９からの第３の割り込み信号Ｓ３１を基に、ウェイクアップ処理を行い、ウェイクアップモードに移行する（ステップＳＴ１１）。これにより、運動解析部２３は、加速度センサ１１及び生体接触センサ１３からの信号を基に、生体情報測定装置１００の装着者の運動解析処理を行う。
【００４９】
次に、通信部２５は、制御部２９からの第３の割り込み信号Ｓ３１を基に、ウェイクアップ処理を行い、ウェイクアップモードに移行する（ステップＳＴ１２）。これにより、通信部２５は、装着判定部２１の装着判定結果及び運動解析部２３の運動解析結果等を、所定の通信装置に送信する通信処理を行う。
次に、周辺回路２７は、制御部２９からの第３の割り込み信号Ｓ３１を基に、ウェイクアップ処理を行い、ウェイクアップモードに移行する（ステップＳＴ１３）。
【００５０】
ステップＳＴ６：
装着判定部２１は、自らのスリープ処理を行い、スリープモードに移行する。
【００５１】
［スリープ処理］
図５は、図１に示す生体情報測定装置１００のスリープ処理を説明するためのフローチャートである。
ステップＳＴ２１：
加速度センサ１１は、加速度を検出した状態から一定期間、加速度を検出していないと判断すると、ステップＳＴ２２に進み、そうでない場合には当該判断を繰り返す。
【００５２】
ステップＳＴ２２：
加速度センサ１１は、第２の割り込み信号Ｓ２を制御部２９に出力する。
制御部２９は、第２の割り込み信号Ｓ２に応じた第２の割り込み信号Ｓ２１を生体接触センサ１３、装着判定部２１、運動解析部２３、通信部２５及び周辺回路２７に出力する。
【００５３】
ステップＳＴ２３：
生体接触センサ１３、装着判定部２１、運動解析部２３、通信部２５及び周辺回路２７は、第２の割り込み信号Ｓ２１に応じてスリープ処理を行い、スリープモードに移行する。
【００５４】
以上説明したように、生体情報測定装置１００によれば、加速度センサ１１が加速度を検出したときに、生体接触センサ１３及び装着判定部２１のウェイクアップ処理を行うので、加速度センサ１１が加速度を検出しない間は生体接触センサ１３及び装着判定部２１をスリープモードにすることができ、省電力化を図ることができる。
【００５５】
また、生体情報測定装置１００によれば、加速度センサ１１による加速度の検出の他に、生体接触センサ１３及び装着判定部２１による装着判定が可能であるため、生体に装着されていると判定したことを条件に、その他の回路ブロックである運動解析部２３、通信部２５及び周辺回路２７のウェイクアップ処理を行うことができ、非装着状態で、当該回路ブロックのウェイクアップ処理が行われることを回避できる。これによっても、省電力化を図ることができる。
【００５６】
また、生体情報測定装置１００によれば、運動解析部２３による装着判定の他に、加速度センサ１１による加速度検出を条件に運動解析部２３、通信部２５及び周辺回路２７のウェイクアップ処理を行うことが可能になり、導電体が生体接触部であるＲ電極２１１Ｒ、Ｌ電極２１１ＬあるいはＣ電極２１１Ｃに触れたことで、不要にウェイクアップ処理が行われることを回避できる。これによっても、省電力化を図ることができる。
【００５７】
また、生体情報測定装置１００によれば、装着判定部２１は、非装着状態と判定した場合に、自らをウェイクアップモードからスリープモードに移行するスリープ処理を行う。これにより、非装着状態において、装着判定部２１をスリープモードにでき、省電力化を図れる。
【００５８】
また、生体情報測定装置１００によれば、加速度センサ１１が一定時間、加速度を検出しないと、第２の割り込み信号を出力し、それに応じて、生体接触センサ１３及び装着判定部２１が自らをウェイクアップモードからスリープモードに移行するスリープ処理を行う。これによっても、省電力化を図れる。
【００５９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６０】
例えば、上述した実施形態では、本発明の電子機器として、眼鏡型の電子機器を例示したが、リストバンドや時計等の人体に装着されるその他の電子機器であってもよい。
【００６１】
また、上述した実施形態では、生体として人体を例示したが、人体以外のペット等の動物等の生体に装着する場合も同様に適用できる。
【００６２】
また、上述した実施形態では、生体接触センサ１３と装着判定部２１とを別モジュールとして実現した場合を例示したが、一つのモジュールとして実現してもよい。
【００６３】
また、上述した実施形態では、本発明の回路ブロックとして、運動解析部２３、通信部２５及び周辺回路２７を例示したが、その他の回路でもよい。
【産業上の利用可能性】
【００６４】
本発明は、生体に装着される様々な生体情報測定装置、例えば、心電測定、眼電位測定、筋電位測定に使用される生体情報測定装置に適用可能である。
【符号の説明】
【００６５】
１…装着判定装置
１１…加速度センサ
１３…生体接触センサ
２１…装着判定部
２３…運動解析部
２５…通信部
２７…周辺回路
２９…制御部
３１…電源供給部
１００…生体情報測定装置
１１１Ｃ…Ｃパッド
１１１Ｌ…Ｌパッド
１１１Ｒ…Ｒパッド
１１３Ｃ…Ｃ絶縁体
１１３Ｌ…Ｌ絶縁体
１１３Ｒ…Ｒ絶縁体
２１１Ｃ…Ｃ電極
２１１Ｌ…Ｌ電極
２１１Ｒ…Ｒ電極
【図１】
0006692938.tif 000002
【図２】
0006692938.tif 000003
【図３】
0006692938.tif 000004
【図４】
0006692938.tif 000005
【図５】
0006692938.tif 000006